(57)【特許請求の範囲】
【請求項１】
開口縁部に紐挿通部が形成されている袋体と、前記紐挿通部に挿通されている紐と、前記紐の前記紐挿通部から出ている部分に装着され、前記袋体の開口縁部を絞った状態に維持するための止め具とを備える巾着袋であって、
前記止め具が、
前記紐を通すための穴と、前記紐を係止するための係止手段とを備えている第１部材、及び前記第１部材に対して弾性的に保持されておりかつ前記第１部材から離間する方向に付勢可能な第２部材、を備え、
前記係止手段が、前記穴に連続して形成されかつ前記紐を挟持して係止可能なスリットとして形成されており、
前記第２部材にも紐を通すための穴が形成されており、
前記第１部材と前記第２部材とを最大弾性応力下に置いた時に前記第２部材の穴の中心線が前記第１部材のスリットを通過するように配置されていることを特徴とする巾着袋。
【請求項２】
前記第１部材及び前記第２部材がそれぞれ板状部材により構成されており、
前記第２部材が、前記第１部材に対して接合部を中心に開閉可能に接合されかつ前記第１部材から離間する方向に付勢可能となっていることを特徴とする、請求項１に記載の巾着袋。
【請求項３】
前記第２部材に対して接合部を中心に開閉可能に接合されかつ前記第２部材から離間する方向に付勢可能な板状の第３部材を更に備えることを特徴とする、請求項２に記載の巾着袋。
【請求項４】
前記第１部材において、前記スリットが前記穴から前記第２部材との接合部に向けて形成されていることを特徴とする、請求項１〜３のうちのいずれか一項に記載の巾着袋。
【請求項５】
合成樹脂板を屈曲させることによって前記第１部材及び前記第２部材が形成されていることを特徴とする、請求項１〜４のうちのいずれか一項に記載の巾着袋。
【請求項６】
前記第２部材が、バネ状弾性部材又はゴム状弾性部材を介して前記第１部材に対して弾性的に保持されていることを特徴とする、請求項１〜５のうちのいずれか一項に記載の巾着袋。
【請求項７】
前記第２部材がゴム状弾性部材により構成されていることを特徴とする、請求項１〜４のうちのいずれか一項に記載の巾着袋。
【発明の詳細な説明】
【０００１】
【発明の属する技術分野】
本発明はいわゆる巾着袋に関するものであり、より詳しくは、袋体の開口縁部に配置された紐を摘んで開口縁部を絞った状態にすることが可能な巾着袋に関するものである。
【０００２】
【従来の技術】
袋体の開口縁部に配置された紐を摘んで開口縁部を絞った状態にすることが可能ないわゆる巾着袋としては様々な形態の物があるが、開口縁部を絞った状態に維持する手法としては開口縁部が戻らないように紐を結んだり、紐を巻回するといった手法が一般的であり、いずれも比較的手間の掛かる手法であった。
【０００３】
また、開口縁部を絞った状態に維持するためにいわゆるクリップやスライドタイプの止め具を用いた巾着袋もあるが、このような従来の巾着袋においては絞った状態の開口縁部に緩みが生じ易く、特に合成樹脂製袋体を用いた場合にその密封性の向上に限界があった。
【０００４】
【発明が解決しようとする課題】
本発明は、上記従来技術の有する課題に鑑みてなされたものであり、袋体の開口縁部を絞った状態に維持するのに手間が掛からず、しかも絞った状態の開口縁部がより強くかつ確実にその状態に維持され、特に合成樹脂製袋体を用いた場合に高水準の密封性を達成することが可能な巾着袋を提供することを目的とする。
【０００５】
【課題を解決するための手段】
本発明者らは、上記目的を達成すべく鋭意研究を重ねた結果、袋体の開口縁部を絞った状態に維持するための止め具として、以下の新規な止め具、すなわち、前記紐を通すための穴と前記紐を係止するための係止手段とを備えている第１部材、及び前記第１部材に対して弾性的に保持されておりかつ前記第１部材から離間する方向に付勢可能な第２部材を備える止め具を用いることによって上記目的が達成されることを見出し、本発明を完成するに至った。
【０００６】
すなわち、本発明の巾着袋は、開口縁部に紐挿通部が形成されている袋体と、前記紐挿通部に挿通されている紐と、前記紐の前記紐挿通部から出ている部分に装着され、前記袋体の開口縁部を絞った状態に維持するための止め具とを備える巾着袋であって、前記止め具が、前記紐を通すための穴と、前記紐を係止するための係止手段とを備えている第１部材、及び前記第１部材に対して弾性的に保持されておりかつ前記第１部材から離間する方向に付勢可能な第２部材、を備え、前記係止手段が、前記穴に連続して形成されかつ前記紐を挟持して係止可能なスリットとして形成されており、前記第２部材にも紐を通すための穴が形成されており、前記第１部材と前記第２部材とを最大弾性応力下に置いた時に前記第２部材の穴の中心線が前記第１部材のスリットを通過するように配置されていることを特徴とするものである。
【０００７】
上記本発明の巾着袋においては、第１部材の穴に挿通されている紐を係止部材に係止でき、それによって止め具と紐とが簡便にかつ確実に一時的に固定される。従って、紐の端部を摘んで止め具を袋体に押し付け、袋体の開口縁部を絞った状態として紐を係止部材に係止することにより、袋体の開口縁部は簡便にかつ確実に止め具によって絞った状態に維持される。そして、本発明の巾着袋においては、止め具を袋体に押し付けた際に弾性的に保持されている第１部材と第２部材との間に応力が発生し、紐を止め具に係止した後に第１部材から離間する方向に付勢された第２部材によって絞った状態の開口縁部は押圧された状態に維持される。従って、本発明の巾着袋においては、絞った状態の開口縁部が止め具によって止められるのみならず、第２部材によって常に押圧された状態に維持されるため、開口縁部はより強く絞られた状態となり、しかもその状態が長期間にわたって確実に維持されることとなる。そのため、本発明の巾着袋の袋体として気密性のある合成樹脂製袋体を用いた場合には、止め具によって開口縁部はより強く絞られた状態となるため密封性が向上し、しかもその密封性が長期間にわたって確実に維持されることとなる。
【０００８】
また、上記本発明の巾着袋においては、前記係止手段が、前記穴に連続して形成されかつ前記紐を挟持して係止可能なスリットとして形成されているので、第１部材の穴に挿通されている紐をスリットに挟めるだけでより簡便にかつ確実に紐を止め具に係止することが可能となる。
【０００９】
また、上記本発明の巾着袋においては、前記第２部材にも紐を通すための穴が形成されており、前記第１部材と前記第２部材とを最大弾性応力下に置いた時に前記第２部材の穴の中心線が前記第１部材のスリットを通過するように配置されているので、止め具を袋体に押し付けて第１部材と第２部材とを最大弾性応力下に置いた際に、紐を強く引いて一直線状にするだけで紐が第１部材の穴からスリット中に移動するため、紐を意図的にスリット中に移動する動作が必要なくなり、紐をより簡便に止め具に係止することが可能となる。
【００１０】
更に、本発明の巾着袋においては、前記第１部材及び前記第２部材がそれぞれ板状部材により構成されており、前記第２部材が前記第１部材に対して接合部を中心に開閉可能に接合されかつ前記第１部材から離間する方向に付勢可能となっていてもよい。第１部材及び第２部材がこのような板状部材により構成されていると、紐を止め具に係止した際に第２部材の接合部から離間した側の板状端部が袋体に押し込まれた状態となり、開口縁部はより強く絞られた状態に維持されることとなる。
【００１１】
また、本発明の巾着袋においては、前記第２部材に対して接合部を中心に開閉可能に接合されかつ前記第２部材から離間する方向に付勢可能な板状の第３部材を更に備えていてもよい。このように第１部材から離間する方向に付勢可能な部材として第２部材及び第３部材が連続して設けられていると、止め具を袋体に押し付けた際に弾性的に保持されている第１〜３部材の間に応力が発生し、紐を止め具に係止した後に第１部材から離間する方向に付勢された第２部材及び第３部材によって絞った状態の開口縁部はより強く押圧された状態に維持されることとなる。
【００１２】
更に、本発明の巾着袋においては、前記第１部材において、前記スリットが前記穴から前記第２部材との接合部に向けて形成されていることが好ましい。このようにスリットが穴から接合部に向けて形成されていると、止め具を袋体に押し付けて紐を第１部材の穴からスリット中に移動せしめて係止する際に、紐は第２部材との接合部に近付くため、止め具と紐との係止点が袋体により近付いて開口縁部がより強く絞られた状態に維持されることとなる。
【００１３】
また、本発明の巾着袋においては、合成樹脂板を屈曲させることによって前記第１部材及び前記第２部材が形成されていてもよい。このように第１部材と第２部材とが一枚の合成樹脂板で構成されていると、所定の位置に穴等を形成した合成樹脂板を屈曲させるだけで簡便にかつ効率よく本発明に係る止め具を製造することが可能となる。
【００１４】
更に、本発明の巾着袋においては、前記第２部材がバネ状弾性部材又はゴム状弾性部材を介して前記第１部材に対して弾性的に保持されていてもよく、あるいは、前記第２部材自体がゴム状弾性部材により構成されていてもよい。
【００１５】
【発明の実施の形態】
以下、図面を参照しつつ本発明の好適な実施形態について詳細に説明する。尚、図面中、同一又は相当部分には同一符号を付すこととする。
【００１６】
図１は本発明の巾着袋の好適な一実施形態を示す斜視図であり、図２は図１に示す巾着袋の開口縁部を絞った状態を示す部分側面図である。図１及び図２に示す巾着袋は、袋体１と、袋体１の開口縁部１１を絞るための紐２と、袋体１の開口縁部１１を絞った状態に維持するための止め具３とを備えている。
【００１７】
そして袋体１は合成樹脂フィルムからなっており、その開口縁から所定の幅の部分を袋体１の外側又は内側（本実施形態では外側）に折り返し、折り返し部分の先端部１２を袋体１に熱融着等によって接合することによって袋体１の開口縁部１１に紐挿通部１３が形成されている。
【００１８】
なお、本発明に係る袋体１の形状は図１に示されている形状に限定されず、いわゆる巾着状の袋体として使用可能なものであればいずれの形状であってもよい。また、本実施形態においては袋体１の開口縁に沿って紐挿通部１３が形成されているが、紐挿通部１３は袋体１の開口縁に接している必要はなく、開口縁から離間した部分に紐挿通部１３が設けられていてもよい。本明細書における「開口縁部」とは、このように開口縁から離間した部分をも包含する概念をいう。
【００１９】
また、本実施形態においては紐挿通部１３が袋体１の開口縁部１１の全周にわたって連続的に設けられているが、紐挿通部１３は断続的に設けられていてもよい。更に、本実施形態においては袋体１の上端部を折り返すことによって紐挿通部１３を形成しているが、紐挿通部１３の形成方法はこれに限定されるものではなく、例えば別の帯状部材を袋体の開口縁部に接合したり、袋体の開口縁部自体に穴を設けて紐挿通部を形成してもよい。なお、本発明の巾着袋の密封性を向上させるという観点からは、紐が袋体１の内側に露出しないように紐挿通部を形成することが好ましく、図１に示されているように紐挿通部を形成することが特に好ましい。
【００２０】
また、袋体１を構成する合成樹脂フィルムとしては、ポリエチレン、ポリプロピレン、エチレン−プロピレン共重合体、ポリエステル、ポリ塩化ビニリデン、エチレン酢酸ビニル共重合体、ポリ塩化ビニル、ポリスチレン等のフィルム、これらの合成樹脂の混合物からなるフィルム、あるいはそれらの積層体が挙げられる。更に、本実施形態においては合成樹脂フィルム製の袋体１を用いているが、これに限定されるものではなく、例えば合成樹脂繊維又は天然繊維からなる織布又は不織布であってもよい。なお、本発明の巾着袋の密封性を向上させるという観点からは気密性を有する合成樹脂フィルムからなる袋体１が好ましく、本発明の巾着袋を冷凍・冷蔵用の袋として使用する場合はエチレン−プロピレン共重合体とポリエチレンとの混合物からなる袋体１が特に好ましい。
【００２１】
袋体１の紐挿通部１３には紐２が挿通されており、紐２は端部を結ぶことによってリング状となっている。紐２の材質は特に制限されず、合成樹脂製の単繊維又は撚り糸や天然繊維の撚り糸が用いられる。なお、本発明の巾着袋の密封性を向上させるという観点からはナイロン６からなる紐２が好ましい。
【００２２】
更に、紐２の紐挿通部１３から出ている部分に止め具３が装着されている。この止め具３は合成樹脂板を屈曲させることによって構成されており、紐２の先端側の部分が第１の板状部材（第１部材）３１、袋体１側の部分が第２の板状部材（第２部材）３２、屈曲部が接合部３３となっている。そして、第１の板状部材３１には紐２を通す穴３４が形成されており、穴３４から接合部３３に向けて紐２を挟持して係止可能なスリット（係止手段）３５が形成されている。なお、穴３４の形状・大きさやスリット３５の形状・幅は特に限定されないが、紐２がスムーズに穴３４を通り、紐２がスリット３５中に移動し易く、スリット３５中に移動した紐２が確実に係止されるものであればよい。紐２がスリット３５中に移動し易くするという観点から、穴３４とスリット３５との境界領域にテーパーが形成されていることが好ましい。
【００２３】
また、第２の板状部材３２は接合部３３を中心に第１の板状部材３１に対して弾性的に開閉可能に接合されかつ第１の板状部材３１から離間する方向（図１中、矢線Ｉで示す）に付勢可能となっている。すなわち、第１の板状部材３１と第２の板状部材３２とを閉じた状態とした際に、接合部３３の弾性復元力によって第２の板状部材３２は矢線Ｉの方向に付勢される。
【００２４】
更に、第２の板状部材３２にも紐２を通す穴３６が形成されており、第１の板状部材３１と第２の板状部材３２とを閉じた状態とした時に穴３６の中心線が第１の板状部材３１のスリット３５を通過するように配置されている。
【００２５】
止め具３を構成する合成樹脂板としては、ポリプロピレン、高密度ポリエチレン、ポリカーボネート、ポリスチレン等の合成樹脂板が挙げられる。また、止め具３を構成する合成樹脂板の厚みや大きさも特に制限されず、袋体１の開口縁部１１を絞った状態として紐２を止め具３に係止した際に開口縁部１１をその状態に保持できる強度があればよく、一般的には０．５〜１．５ｍｍ程度の厚さのものが好ましい。更に、第１の板状部材３１と第２の板状部材３２との間の角度は特に制限されないが、止め具３を袋体１に押し付け易くかつ止め具３から袋体１に弾性復元力を効率良く伝達し易いという観点から１５〜４０度程度が好ましい。
【００２６】
なお、このように第１の板状部材３１と第２の板状部材３２とが一枚の合成樹脂板で構成されていると、所定の位置に穴３４、３６とスリット３５を形成した合成樹脂板を屈曲させるだけで簡便にかつ効率よく止め具３を製造することができる。
【００２７】
次に、図１及び図２を参照しつつ本実施形態の巾着袋を使用する方法について説明する。すなわち、巾着袋の開口部を閉じようとする場合、先ず、紐２の端部を摘んで止め具３を袋体１に押し付け、袋体１の開口縁部１１を絞った状態とする。次に、第１の板状部材３１の穴３４に挿通されている紐２をスリット３５に挟めることによって、簡便に紐２と止め具３とが係止され、袋体１の開口縁部１１は確実に止め具３によって絞った状態に維持される。
【００２８】
なお、本実施形態においては第２の板状部材３２の穴３６の中心線が第１の板状部材３１のスリット３５を通過するように配置されているため、止め具３を袋体１に押し付けて第１の板状部材３１と第２の板状部材３２とが閉じた状態とした際に、紐２を強く引いて一直線状にするだけで紐２は穴３４からスリット３５中に移動するため、紐２を意図的にスリット３５中に移動する動作をせずともワンアクションで紐２が止め具３に簡便に係止される。
【００２９】
そして、止め具３を袋体１に押し付けた際に第１の板状部材３１と第２の板状部材３２とが閉じた状態となるため、紐２を止め具３に係止した後に接合部３３の弾性復元力によって第２の板状部材３２は第１の板状部材３１から離間する方向（図２中、矢線IIで示す）に付勢される。従って、絞った状態の開口縁部１１は、止め具３によって止められるのみならず、第２の板状部材３２によって常に押圧された状態に維持されるため、開口縁部１１はより強く絞られた状態となり、しかもその状態が長期間にわたって確実に維持される。そのため、袋体１として気密性のある合成樹脂製袋体を用いた場合には、止め具３によって開口縁部１１はより強く絞られた状態となるため密封性が向上し、しかもその密封性が長期間にわたって確実に維持されることとなる。
【００３０】
なお、本実施形態においては、スリット３５が穴３４から第２の板状部材３２との接合部３３に向けて形成されている。そのため、止め具３を袋体１に押し付けて紐２を穴３４からスリット３５中に移動せしめて係止する際に紐２は接合部３３に近付くこととなり、止め具３と紐２との係止点が袋体１により近付いて開口縁部１１がより強く絞られた状態に維持される。
【００３１】
また、巾着袋の開口部を閉じた状態から開けようとする場合は、スリット３５に挟持されている紐２を穴３４中に戻せばよく、それによって止め具３は紐２の先端方向に自由移動可能となり、袋体１の開口縁部１１をワンアクションで開いた状態とすることができる。
【００３２】
以上、本発明の巾着袋の好適な一実施形態について説明したが、本発明の巾着袋は前述した実施形態に限定されるものではない。例えば、本発明に係る止め具３は、前述の第２の板状部材３２に対して接合部３７を中心に開閉可能に接合されかつ第２の板状部材３２から離間する方向に付勢可能な第３の板状部材３８を更に備えていてもよい。そして、この場合、第３の板状部材３８にも紐２を通す穴３９が形成されていることが好ましい。また、本発明に係る止め具３には、第３の板状部材３８に加えて同様の作用を奏する部材（図示せず）が更に接続されていてもよい。
【００３３】
このように第１の板状部材３１から離間する方向に付勢可能な部材として第２の板状部材３２及び第３の板状部材３８が連続して設けられていると、止め具３を袋体１に押し付けた際に第１〜３の板状部材が閉じた状態となり、紐２を止め具３に係止した後に第１の板状部材３１から離間する方向に付勢された第２の板状部材３２及び第３の板状部材３８によって絞った状態の開口縁部１１はより強く押圧された状態に維持される。
【００３４】
また、本発明に係る止め具３は合成樹脂板を屈曲させたものには限定されず、第１の板状部材３１と第２の板状部材３２とを別個に製造し、第２の板状部材３２が第１の板状部材３１から離間する方向に付勢されるように第１の板状部材３１と第２の板状部材３２とを接合したものであってもよい。なお、第２の板状部材３２を付勢する手段としては、上記実施形態と同様に接合部３３の弾性復元力であってもよいが、図４に示すようにバネ状弾性部材（板バネやコイルバネ）４０や、ゴム状弾性部材（図示せず）を第１の板状部材３１と第２の板状部材３２との間に配置してもよい。
【００３５】
更に、本発明に係る止め具３の形状は図１及び図２に示すものに限定されず、例えば、図５（ａ）に示すような略半円形のもの、図５（ｂ）及び図５（ｃ）に示すような台形のもの、図５（ｄ）に示すような下端が波形状のもの、図５（ｅ）及び図５（ｆ）に示すような下端が傾斜しているもの、図５（ｇ）に示すような下端が略円弧状にくびれているもの、図５（ｈ）に示すような上端及び下端が略円弧状にくびれているものであってもよい。
【００３６】
また、本発明に係る止め具３を、図５（ｉ）に示すような任意のキャラクター形状や、図５（ｊ）に示すようなハート形のものとしてもよい。このような複雑形状の場合、第１の板状部材３１を上記形状のものとし、その裏面に第２の板状部材３２を接合部３３を介して接合するようにすることが好ましい。
【００３７】
更に、本発明に係る止め具は板状の第１部材及び第２部材を備える前述の実施形態のものに限定されず、第１部材及び第２部材の形状は例えば直方体状、球状、半球状等の様々な形状であってもよい。また、係止手段も前記のスリットには限定されず、例えば後述するように複数の部材で紐を挟持して係止するタイプや、紐を部材に巻回して係止するタイプであってもよい。
【００３８】
第１部材及び第２部材が板状のものではない本発明に係る止め具の一実施形態を図６に示す。図６に示す止め具は、第１部材３１としていわゆるスライドタイプの止め具を備え、第２部材３２として直方体のゴム状弾性部材を備えている。
図６に示す第１部材３１は、凹部が形成されているスライドタイプ止め具本体５１と、その凹部内に配置されているバネ５２及び押込みボタン５３を備えており、スライドタイプ止め具本体５１及び押込みボタン５３には紐を通すための穴５４，５５が形成されている。そして、押込みボタン５３を凹部側に押し込むと穴５４と穴５５とが一直線上に配置されて紐を自由に挿通することが可能となり、押込みボタン５３を放すとバネの弾性復元力によって穴５４と穴５５との位置がずれて紐が止め具（第１部材）３１に係止されるように構成されている。このように、図６に示す第１部材３１においては、バネ５２及び押込みボタン５３によって係止手段が構成されている。また、図６に示す止め具においては、紐を通すための穴３６を有する直方体のゴム状弾性部材（第２部材）３２が上記第１部材３１に直接接続されており、それによってゴム状弾性部材３２の自由端側の面はその部材の弾性により第１部材から離間する方向に付勢可能となっている。
【００３９】
また、図示はしないが、紐を部材に巻回して係止するタイプの第１部材としては、紐を巻き取るための溝を有する巻き取り体と、それに係合して巻き取り体の動きを抑制するケーシングとを備えるものが挙げられる。そして、このような巻き取り体としては、紐を巻き取るための軸と、その両端に紐を係止するための歯車が固定された構造のものが例示され、この場合は前記の軸と歯車によって係止手段が構成される。
【００４０】
なお、本発明の巾着袋の用途は特に限定されず、例えば、冷凍・冷蔵用の袋、ゴミ袋等として好適に使用される。
【００４１】
【発明の効果】
以上説明したように、本発明の巾着袋によれば、袋体の開口縁部を絞った状態に維持するのに手間が掛からず、しかも絞った状態の開口縁部をより強くかつ確実にその状態に維持することができる。従って、本発明の巾着袋として合成樹脂製袋体を用いれば、高水準の密封性を達成することが可能な巾着袋を提供することが可能となる。
【図面の簡単な説明】
【図１】  本発明の巾着袋の好適な一実施形態を示す斜視図である。
【図２】  図１に示す巾着袋の開口縁部を絞った状態を示す部分側面図である。
【図３】  本発明に係る止め具の他の実施形態を示す側面図である。
【図４】  本発明に係る止め具の更に他の実施形態を示す側面図である。
【図５】  （ａ）〜（ｊ）は本発明に係る止め具の更に他の実施形態を示す正面図（（ｉ）は正面図及び側面図）である。
【図６】  本発明に係る止め具の更に他の実施形態を示す斜視図である。
【符号の説明】
１…袋体、２…紐、３…止め具、１１…開口縁部、１２…熱融着部、１３…紐挿通部、３１…第１部材、３２…第２部材、３３…接合部、３４…穴、３５…スリット（係止手段）、３６…穴、３７…接合部、３８…第３部材、３９…穴、４０…バネ状弾性部材、５１…スライドタイプ止め具本体、５２…バネ、５３…押込みボタン、５４…穴、５５…穴、Ｉ…付勢方向、II…押圧方向。
【図１】
0003947022.tif 000002
【図２】
0003947022.tif 000003
【図３】
0003947022.tif 000004
【図４】
0003947022.tif 000005
【図５】
0003947022.tif 000006
【図６】
0003947022.tif 000007